(57)【要約】【課題】  水タンクに貯水された水を再処理することができる技術を提供する。【解決手段】  発電装置２は、燃料電池８０と、改質器７０と、水処理装置３０と、水タンク４０と、供給ポンプ６０と、循環路２００と、循環ポンプ２０を備える。水処理装置３０は、改質器７０に供給する水を処理する。水タンク４０は、水処理装置３０によって処理された水を貯水する。循環路２００は、水タンク４０と水処理装置３０の間で水を循環させる流路である。循環ポンプ２０は、循環路２００内で水を循環させる。循環ポンプ２０を作動させることにより、水タンク４０に貯水された水を、再度水処理装置３０に供給して処理することができる。再度処理された高純度の水を水タンク４０に貯水し、改質器７０に供給することができる。【選択図】図１
2012009208.tif 000002
【特許請求の範囲】
【請求項１】
燃料電池と、
改質器と、
改質器に供給する水を処理する水処理装置と、
水処理装置によって処理された水を貯水する水タンクと、
水タンク内の水を改質器に供給する供給ポンプと、
水タンクと水処理装置の間で水を循環させる循環路と、
循環路内で水を循環させる循環ポンプを備えることを特徴とする発電装置。
【請求項２】
前記燃料電池は、固体酸化物形の燃料電池であることを特徴とする請求項１の発電装置。
【請求項３】
発電装置の起動時に循環ポンプを作動させる制御を実行する制御装置をさらに備えることを特徴とする請求項１又は２の発電装置。
【請求項４】
前記制御装置は、循環ポンプを作動させた後、所定時間後に、循環ポンプを停止させる制御をさらに実行することを特徴とする請求項３の発電装置。
【請求項５】
水タンク内に貯水されている水の電気伝導率を検出する電気伝導率検出手段をさらに備え、
前記制御装置は、発電装置の起動時において、電気伝導率検出手段が検出する電気伝導率が所定の許容値を上回る場合に、循環ポンプを作動させる制御を実行することを特徴とする請求項１又は２の発電装置。
【請求項６】
前記制御装置は、循環ポンプを作動させた後、前記電気伝導率検出手段が検出する電気伝導率が前記所定の許容値以下となる場合に、循環ポンプを停止させる制御をさらに実行することを特徴とする請求項５の発電装置。
【発明の詳細な説明】
【技術分野】
【０００１】
本発明は、燃料電池を用いて発電する装置に関する。
【背景技術】
【０００２】
特許文献１には、燃料電池を用いた発電装置の例が開示されている。特許文献１の発電装置は、燃料電池と、改質器と、改質器に供給するための水を処理する水処理装置と、処理済みの水を貯水する水タンクと、水タンク内の水を改質器に供給する水ポンプを備える。特許文献１の発電装置は、さらに、水タンク内の水の電気伝導率を測定して水ポンプ又は水処理装置の異常を検出する異常検出手段を備える。
【先行技術文献】
【特許文献】
【０００３】
【特許文献１】特開２００８−３４２０４号公報
【発明の概要】
【発明が解決しようとする課題】
【０００４】
発電装置を長期間休止させる場合がある。その場合、水タンク内に貯水された水は、休止中に空気と長期間接触することによって不純物を含むようになる。そのため、発電装置を長期間休止した後に再起動する場合、水タンク内の水の電気伝導率が所定の許容値を上回る場合がある。
【０００５】
その場合、特許文献１の発電装置では、水タンク内の電気伝導率が許容値を上回るために、実際には水ポンプや水処理装置に異常が発生していないにも拘らず、水タンク又は水処理装置に異常が発生しているものと誤って判断される場合がある。発電装置の運転が無用に停止される場合もある。
また、特許文献１の発電装置では、水タンクに一度貯水された水は必ず改質器に供給され、それ以外の箇所には供給されない。そのため、一旦水タンク内の水が低純度となってしまうと、仮に使用者が水ポンプや水処理装置に異常がないことを確認した上で運転を開始させたとしても、運転時にその低純度の水が改質器に供給されてしまう。その場合、改質器で好適な改質反応が行われない。本明細書では、水タンクに貯水された水を再処理することができる技術を開示する。
【課題を解決するための手段】
【０００６】
本明細書では、燃料電池と、改質器と、水処理装置と、水タンクと、供給ポンプと、循環路と、循環ポンプを備える発電装置を開示する。水処理装置は、改質器に供給する水を処理する。水タンクは、水処理装置によって処理された水を貯水する。循環路は、水タンクと水処理装置の間で水を循環させる流路である。循環ポンプは、循環路内で水を循環させる。
【０００７】
上記の発電装置は、循環路と循環ポンプを備える。そのため、一旦低純度になってしまった水タンクに貯水された水を、再度水処理装置に供給して処理することができる。再度処理された高純度の水を水タンクに貯水し、改質器に供給することができる。その結果、改質器で好適な改質反応を行うことができるようになる。
【０００８】
燃料電池は、固体酸化物形の燃料電池であることが好ましい。固体酸化物形の燃料電池は、作動温度が高く、起動及び停止に要する時間も長いため、通常はＤＳＳ（Daily Start and Stop）運転を行わず、長期間継続して運転する。従って、燃料電池を固体酸化物形とする場合、連続運転中の発電装置では、水タンクに貯水される水は高純度のまま改質器に継続的に供給されるため、水タンク内の水の純度が低下する事態は通常発生しない。しかしながら、上述のように、発電装置を長期間休止させる場合等には、水タンク内の水の純度が低下する事態が発生し得る。上記の発電装置は、そのような事態が発生した場合であっても、水タンク内の水を再処理して高純度の水に入れ替えることができる。固体酸化物形の燃料電池を備える発電装置を運転する場合であっても、改質器にいつでも純水を供給することができる。
【０００９】
発電装置の起動時に循環ポンプを作動させる制御を実行する制御装置をさらに備えることが好ましい。この構成によると、例えば、長期間休止した後に発電装置の運転を再開する時のように、水タンク内の水が低純度になっている可能性が高い場合であっても、水タンク内の低純度の水を水処理装置で再処理し、高純度の水にして水タンクに貯水することができる。従って、長期間休止した後に発電装置の運転を再開する場合であっても、改質器に高純度の水を供給することができ、改質器で好適な改質反応を行うことができるようになる。
【００１０】
制御装置は、循環ポンプを作動させた後、所定時間後に、循環ポンプを停止させる制御をさらに実行することが好ましい。その場合、例えば、水タンク内に貯水される水がすべて水処理装置によって処理された水に入れ替わるまでの所定時間の間循環ポンプを作動させ、その後循環ポンプを停止させることができる。水を無用に水処理装置で処理することを抑制し、水処理装置の耐用期間が短くなることを抑制することができる。
【００１１】
発電装置は、水タンク内に貯水されている水の電気伝導率を検出する電気伝導率検出手段をさらに備え、制御装置は、発電装置の起動時において、電気伝導率検出手段が検出する電気伝導率が所定の許容値を上回る場合に、循環ポンプを作動させる制御を実行することとしてもよい。この場合、水タンク内の電気伝導率が所定の許容値を上回る場合、即ち、水タンク内の水の純度が所定の許容レベルより低純度である場合にのみ、水タンク内の水を再度水処理装置で処理することができる。水を無用に水処理装置で処理することを有効に抑制し、水処理装置の耐用期間が短くなることを有効に抑制することができる。
【００１２】
制御装置は、循環ポンプを作動させた後、電気伝導率検出手段が検出する電気伝導率が所定の許容値以下となる場合に、循環ポンプを停止させる制御をさらに実行してもよい。
この場合、水タンク内の電気伝導率が所定の許容値以下となる場合、即ち、水タンク内の水の純度が所定の許容レベルより高純度になった場合に、循環ポンプを停止させることができる。水を無用に水処理装置で処理することをより有効に抑制し、水処理装置の耐用期間が短くなることをより有効に抑制することができる。
【図面の簡単な説明】
【００１３】
【図１】発電装置を示すブロック図。
【発明を実施するための形態】
【００１４】
以下に説明する実施例の主要な特徴を列記する。
（形態１）発電装置は、バッファタンクを備える。バッファタンクは、給水管から供給される水と、燃料電池から排出されるドレンと、水タンクからオーバーフローした水を貯水する。
（形態２）水処理装置の内部にはイオン交換樹脂が充填されている。水処理装置を通過する水は、イオン交換樹脂によって処理されて高純度の水となる。
【実施例】
【００１５】
（第１実施例）
第１実施例について説明する。図１は本実施例に係る発電装置２の概略構成を示すブロック図である。図１に示すように、発電装置２は、バッファタンク１０、循環ポンプ２０、水処理装置３０、水タンク４０、供給ポンプ６０、改質器７０、燃料電池８０、制御装置１００を備える。
【００１６】
バッファタンク１０は、各所から供給される水を貯水するタンクである。
第１に、バッファタンク１０は、給水管１１０から供給される水を貯水する。給水管１１０は、水の流量を調整する弁１１２を備える。
第２に、バッファタンク１０は、ドレン管１９０から供給される水（ドレン）も貯水する。ドレン管１９０は、燃料電池８０で発生したドレンを燃料電池８０外に排出する管路である。即ち、バッファタンク１０は、ドレン管１９０から排出される、燃料電池８０で発生したドレンを貯水する。
第３に、バッファタンク１０は、オーバーフロー管１４０から供給される水も貯水する。図に示すように、バッファタンク１０にはオーバーフロー管１４０が接続されている。オーバーフロー管１４０は、水タンク４０からオーバーフローする水を排出する管路であって、上流側が水タンク４０の上部に接続され、下流側がバッファタンク１０に接続されている。従って、水タンク４０からオーバーフローした水は、オーバーフロー管１４０を通ってバッファタンク１０に供給される。
さらに、バッファタンク１０には水処理流路１２０が接続されている。水処理流路１２０は、バッファタンク１０に貯水されている水を、水処理装置３０に向けて送り出す流路である。
【００１７】
循環ポンプ２０は、バッファタンク１０に貯水されている水を、水処理装置３０を経由して水タンク４０に供給するためのポンプである。本実施例では、循環ポンプ２０は、上記の水処理流路１２０の途中に備えられている。循環ポンプ２０を作動させると、バッファタンク１０に貯水されている水は、水処理流路１２０を通って水処理装置３０に送られる。水処理装置３０を通過して処理された高純度の水は、純水流路１３０を通って水タンク４０に供給される。
【００１８】
水処理装置３０は、バッファタンク１０から供給される水を処理して高純度の水に変える装置である。この「高純度の水」の語は、「改質器７０で好適な改質反応を行うことができる程度の純度の水」と言い換えてもよい。水処理装置３０内には、イオン交換樹脂が充填されている。従って、バッファタンク１０から水処理流路１２０を通って供給された水は、水処理装置３０内を通過する際に、水処理装置３０内のイオン交換樹脂によってイオン交換されて高純度の水に変えられる。以下では、このイオン交換処理を単に「処理」と呼ぶ。また、水処理後の高純度の水を「純水」と呼ぶ。水処理装置３０で処理された後の純水は、純水流路１３０を通って水タンク４０に供給される。
【００１９】
水タンク４０は、水処理装置３０で処理された後の純水を貯水するタンクである。水タンク４０の上部には、上述の通り、オーバーフロー管１４０の上流側が接続されている。そのため、水タンク４０からオーバーフローした水は、オーバーフロー管１４０を通ってバッファタンク１０に供給される。さらに、水タンク４０には、供給流路１５０が接続されている。供給流路１５０は、水タンク４０に貯水されている純水を、改質器７０に向けて送り出す流路である。なお、図１では、水タンク４０に備えられる電気伝導率計５０が破線で示されているが、この電気伝導率計５０は後述の第２実施例で利用される。
【００２０】
上述のバッファタンク１０と、水処理流路１２０と、循環ポンプ２０と、水処理装置３０と、純水流路１３０と、水タンク４０と、オーバーフロー管１４０とは、水が循環する循環路２００を形成する。循環路２００は、循環ポンプ２０を作動させた場合に水が循環する経路である。従って、循環ポンプ２０が作動すると、バッファタンク１０に貯水されている水は、まず、水処理流路１２０を通って水処理装置３０に送られる。水処理装置３０を通過して処理された純水は、純水流路１３０を通って水タンク４０に供給される。水タンク４０に供給される純水が所定量を超えると、水タンク４０内の純水がオーバーフローし、オーバーフロー管１４０からバッファタンク１０に戻される。このように、循環ポンプ２０を作動させることによって循環路２００内を水が循環する。循環路２００内を循環する水は、循環の過程で水処理装置３０を通過して純水となる。
【００２１】
供給ポンプ６０は、水タンク４０に貯水されている純水を改質器７０に供給するためのポンプである。供給ポンプ６０は、上記の供給流路１５０の途中に備えられている。供給ポンプ６０を作動させると、水タンク４０に貯水されている純水は、供給流路１５０を通って改質器７０に供給される。
【００２２】
改質器７０は、燃料ガスを改質して、燃料電池８０における発電反応に使用される改質ガスを生成する装置である。改質器７０内には、図示を省略しているが、供給された純水を水蒸気に変えるための気化機構と、燃料ガスと水蒸気の混合ガスを改質ガスに改質する改質機構が設けられている。改質機構内には改質触媒が充填されている。改質器７０には、上述した供給流路１５０に加えて、外部から燃料ガスを供給するための燃料ガス供給管１６０と、改質後の改質ガスを燃料電池８０に送り出すための改質ガス供給路１７０が接続されている。なお、燃料ガス供給管１６０は、燃料ガスの供給量を調整する弁１６２を備える。本実施例では、燃料ガスには例えばメタンを主成分とするガス（例えば都市ガス）が使用される。上記の供給流路１５０から供給された純水は、気化機構で加熱されて水蒸気となる。水蒸気は、燃料ガス供給管１６０から供給される燃料ガスと混合される。水蒸気と燃料ガスの混合ガスは、改質機構内の改質触媒によって、水素と一酸化炭素からなる改質ガスに改質される。改質後の改質ガスは、改質ガス供給路１７０から燃料電池８０に送られる。
【００２３】
燃料電池８０は、改質ガスを有酸素ガス（空気）と反応させて発電する装置である。本実施例の燃料電池８０は、固体酸化物形の燃料電池である。本実施例では、発電に使用される有酸素ガスとして空気が用いられる。発電反応によって水蒸気と二酸化炭素からなる排ガスが生じる。排ガスに含まれる水蒸気が結露するとドレンが発生する。燃料電池８０には、上述した改質ガス供給路１７０に加えて、発電に使用される空気を供給するための空気供給管１８０と、燃料電池８０で発生するドレンを排出するためのドレン管１９０が接続されている。なお、空気供給管１８０は、発電に利用される空気の供給量を調整する弁１８２を備える。また、図示は省略するが、空気供給管１８０は、外部の空気を空気供給管１８０から燃料電池に送り込むための送風手段をさらに備える。上述のように、燃料電池８０で発生するドレンは、ドレン管１９０からバッファタンク１０へ排出され、バッファタンク１０に貯水される。
【００２４】
制御装置１００は、上述の各部品と電気的に接続されており、それらの動作を制御する。
【００２５】
次に、発電装置２の動作を説明する。
発電装置２を起動させると、制御装置１００は、最初に循環ポンプ２０を作動させる。循環ポンプ２０が作動すると、バッファタンク１０に貯水されている水は、まず、水処理流路１２０を通って水処理装置３０に送られる。水処理装置３０を通過することにより、水は処理されて純水となる。水処理装置３０で処理された水は純水流路１３０を通って水タンク４０に供給される。水タンク４０内の水が所定量を超えると、水タンク４０内の水がオーバーフローし、オーバーフロー管１４０からバッファタンク１０に戻される。バッファタンク１０に戻された水は、再び水処理流路１２０を通って水処理装置３０に送られる。このように、循環ポンプ２０を作動させることによって循環路２００内を水が循環する。循環路２００内を循環する水は、循環の過程で水処理装置３０を通過して純水となる。
【００２６】
本実施例では、制御装置１００は、１５分間に亘って循環ポンプ２０を連続して作動させ、循環路２００内で水を循環させる。以下では、発電装置２の起動時における上記の循環ポンプ２０の連続運転を「リフレッシュ運転」と呼ぶ。制御装置１００は、循環ポンプ２０を作動させてから１５分経過後に循環ポンプ２０を停止し、リフレッシュ運転を終了する。リフレッシュ運転により、水タンク４０には、改質器７０に供給可能な程度に高純度の純水が貯水されることとなる。なお、本実施例では、リフレッシュ運転を１５分間に亘って行うことで、水タンク４０に貯水される水がすべて水処理装置３０によって再処理された純水に入れ替わる。従って、例えば、発電装置２を長期間休止させた後に再起動させた場合等のように、発電装置２の起動時において水タンク４０内の水が純水でなくなっている場合であっても、上記のリフレッシュ運転を行うことによって、水タンク４０内の水を純水に入れ替えることができる。
【００２７】
上記のリフレッシュ運転が終了した後であって、改質器７０及び燃料電池８０が好適な作動温度に到達した場合に、制御装置１００は、供給ポンプ６０を作動させて水タンク４０内の純水を改質器７０に供給する。さらに、制御装置１００は、弁１６２を開いて改質器７０に燃料ガスを供給する。改質器７０内では、供給流路１５０から供給された水と、燃料ガス供給管１６０から供給された燃料ガスを用いて、上述した改質反応が行われる。改質反応によって、供給された燃料ガスは、水素と一酸化炭素からなる改質ガスに改質される。なお、改質器７０に供給される水は純水であるため、改質反応は好適に行われる。改質後の改質ガスは、改質ガス供給路１７０から燃料電池８０に供給される。また、制御装置１００は、弁１８２を開き、送風手段を作動させて、空気を燃料電池８０に供給する。燃料電池８０では、供給された改質ガスと空気を反応させて発電する。発電反応によって水蒸気と二酸化炭素からなる排ガスが生じる。その排ガスに含まれる水蒸気が結露するとドレンが発生する。燃料電池８０で発生するドレンは、ドレン管１９０からバッファタンク１０へ排出され、バッファタンク１０に貯水される。
【００２８】
なお、上記のリフレッシュ運転の終了後は、制御装置１００は、水タンク４０内の純水の貯水量が所定量以下となる場合に、弁１１２を開いてバッファタンク１０に水を供給する。その場合、制御装置１００は、さらに循環ポンプ２０を作動させて、バッファタンク１０内の水を水処理装置３０で処理して純水とし、水タンク４０に供給する。
【００２９】
以上、本実施例の発電装置２について説明した。本実施例の発電装置２は、起動後に循環ポンプ２０を作動させてリフレッシュ運転を行うことによって、水を循環路２００内で循環させる。循環路２００内を循環する水は、循環の過程で水処理装置３０を通過して純水となる。従って、例えば、発電装置２を長期間休止させた後に再起動させた場合等のように、発電装置２の起動時において水タンク４０内の水が純水でなくなっている場合であっても、上記のリフレッシュ運転を行うことによって、水タンク４０内の水を純水に入れ替えることができる。その結果、改質器７０に純水を供給することができ、改質器７０で好適な改質反応を行うことができるようになる。
【００３０】
本実施例では、燃料電池８０は固体酸化物形の燃料電池である。固体酸化物形の燃料電池は、作動温度が高く、起動及び停止に要する時間も長いため、通常はＤＳＳ運転を行わず、長期間継続して運転する。そのため、連続運転中の発電装置２では、水タンク４０に貯水される水は、高純度のまま改質器７０に継続的に供給され、水タンク４０内に貯水される水の純度が低下する事態は通常発生しない。しかしながら、発電装置２を長期間休止させた場合等には、水タンク４０内の水の純度が低下する事態が発生し得る。本実施例の発電装置２は、そのような事態が発生した場合であっても、水タンク４０内の水を再処理して純水に入れ替えることができる。固体酸化物形の燃料電池８０を備える発電装置２を運転する場合であっても、改質器７０にいつでも純水を供給することができる。
【００３１】
本実施例では、制御装置１００は、循環ポンプ２０を作動させてから１５分経過後に循環ポンプ２０を停止し、リフレッシュ運転を終了する。本実施例では、リフレッシュ運転を１５分間に亘って行うことで、水タンク４０に貯水される水がすべて水処理装置３０によって再処理された後の純水になる。水を無用に水処理装置３０で処理することを抑制し、水処理装置３０の耐用期間が短くなることを抑制することができる。
【００３２】
（第２実施例）
第２実施例について説明する。本実施例では、図１に示されるように、水タンク４０に電気伝導率計５０（破線部参照）が備えられている。電気伝導率計５０は、水タンク４０に貯水されている水の電気伝導率を検出する。検出された電気伝導率は制御装置１００に送られる。
【００３３】
本実施例の発電装置２の動作を第１実施例と異なる点を中心に説明する。
発電装置２を起動させると、まず、制御装置１００は、電気伝導率計５０が検出する水タンク４０内の水の電気伝導率が、所定の許容値を上回るか否かを判断する。ここで、「所定の許容値」の語は、「改質器７０で好適な改質運転を行うことができる水の電気伝導率の最大値」と言い換えてもよい。電気伝導率計５０が検出する水の電気伝導率が所定の許容値を上回る場合、水タンク４０内の水は、不純物が多く混入し、改質器７０で好適な改質運転を行うことができない純度の水となっている。その場合、制御装置１００は、循環ポンプ２０を作動させて上記のリフレッシュ運転を開始する。このリフレッシュ運転により、水タンク４０には、改質器７０に供給可能な程度に高純度の純水が貯水されることとなる。
制御装置１００は、リフレッシュ運転の開始後、電気伝導率計５０が検出する電気伝導率が所定の許容値以下となる場合に、循環ポンプ２０を停止させてリフレッシュ運転を終了する。即ち、水タンク４０内の水が、改質器７０で好適な改質運転を行うことができる純度の水（純水）となった時点で、リフレッシュ運転を終了する。
上記のリフレッシュ運転が終了した後の発電装置２の動作は、第１実施例の場合と同様である。
【００３４】
一方、発電装置２の起動時における、電気伝導率計５０が検出する水タンク４０内の水の電気伝導率が、所定の許容値を下回る場合、起動時における水タンク４０内の水は、改質器７０で好適な改質運転を行うことができる純度の水（純水）となっている。その場合、水タンク４０には既に純水が貯水されているため、制御装置１００は、リフレッシュ運転を行わない。この場合、以降の発電装置２の動作は、リフレッシュ運転が終了した後の発電装置２の動作と同様となる。
【００３５】
本実施例では、制御装置１００は、発電装置２の起動時において、電気伝導率計５０が検出する電気伝導率が所定の許容値を上回る場合に、リフレッシュ運転を開始する制御を実行する。水タンク４０内の電気伝導率が所定の許容値を上回る場合、即ち、水タンク４０内の水の純度が所定の許容レベルより低純度である場合にのみ、リフレッシュ運転によって水タンク４０内の水を再度水処理装置３０で処理する。また、本実施例では、制御装置１００は、リフレッシュ運転の開始後、電気伝導率計５０が検出する電気伝導率が所定の許容値を下回った場合に、循環ポンプ２０を停止させてリフレッシュ運転を終了する。即ち、水タンク４０内の水が、改質器７０で好適な改質運転を行うことができる純度の水（純水）となった時点で、リフレッシュ運転を終了する。水を無用に水処理装置３０で処理することを有効に抑制し、水処理装置３０の耐用期間が短くなることを有効に抑制することができる。
【００３６】
（その他の実施例）
（１）上記の各実施例では、制御装置１００は、リフレッシュ運転開始から１５分経過後にリフレッシュ運転を終了する制御を実行している。しかしながら、リフレッシュ運転の継続時間は、水タンク４０内の水をすべて純水に入れ替え可能な時間であれば、１５分間に限らず、任意の時間とすることができる。
（２）上記の第２実施例では、制御装置１００は、発電装置２の起動時において、電気伝導率計５０が検出する電気伝導率が所定の許容値を上回る場合にリフレッシュ運転を開始した後、所定時間（例えば１５分間）経過後にリフレッシュ運転を強制的に終了する制御を実行してもよい。
（３）上記の各実施例では、発電装置２はバッファタンク１０を備えている。しかしながら、発電装置２はバッファタンクを省略した構成を有してもよい。その場合、給水管１１０から供給される水と、燃料電池８０から排出されるドレンと、水タンク４０からオーバーフローした水は、いずれも直接水処理装置３０へと供給される。
【００３７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００３８】
２     発電装置
１０   バッファタンク
２０   循環ポンプ
３０   水処理装置
４０   水タンク
５０   電気伝導率計
６０   供給ポンプ
７０   改質器
８０   燃料電池
９０   ドレン管
１００ 制御装置
１１０ 給水管
１１２ 弁
１２０ 水処理流路
１３０ 純水流路
１４０ オーバーフロー管
１５０ 供給流路
１６０ 燃料ガス供給管
１６２ 弁
１７０ 改質ガス供給路
１８０ 空気供給管
１８２ 弁
１９０ ドレン管
２００ 循環路
【図１】
2012009208.tif 000003